(57)【要約】【課題】ユーザの状況に応じた経路検索を提供する経路探索装置１を提供する。【解決手段】交通機関を利用して出発地から目的地まで移動する経路を探索する経路探索装置１は、交通機関の経路データを記憶する経路データ記憶装置２１と、交通機関の運行時刻データを記憶する時刻表データ記憶装置２２と、現在位置及び現在時刻を少なくとも含む現在情報を取得する現在情報取得手段１４と、経路データ及び運行時刻データを参照して、現在情報取得手段１４で取得された現在情報に基づいて、出発地から目的地まで移動する経路を探索する経路探索手段１５と、経路探索手段１５で探索された経路を提示する探索経路提示手段１６を備える。【選択図】　　　図１
2004001721.tif 000002
【特許請求の範囲】
【請求項１】
交通機関を利用して出発地から目的地まで移動する経路を探索する経路探索装置であって、
前記交通機関の経路データを記憶する経路データ記憶手段と、
前記交通機関の運行時刻データを記憶する時刻表データ記憶手段と、
現在位置及び現在時刻のいずれか一つ以上を含む現在情報を取得する現在情報取得手段と、
前記経路データ及び前記運行時刻データを参照して、前記現在情報取得手段で取得された現在情報に基づいて、前記出発地から前記目的地まで移動する経路を探索する経路探索手段と、
前記経路探索手段で探索された前記経路を提示する探索経路提示手段
を備えることを特徴とする経路探索装置。
【請求項２】
駅名、路線名、ホームのいずれか一つ以上と、位置情報を関連づけて記憶するホーム位置記憶手段を更に備えており、
前記現在情報取得手段において、前記現在位置を取得した場合、前記ホーム位置記憶手段で記憶した情報を参照して、駅名、路線名、ホームのいずれか一つ以上の現在位置を取得し、取得した現在位置を出発地として、前記経路探索手段で前記経路を検索する
ことを特徴とする請求項１に記載の経路探索装置。
【請求項３】
前記現在情報取得手段で取得した現在情報を保持し、探索経路提示手段で前記経路を提示した後、再び経路検索を行う場合、前記経路探索手段において、保持した前記現在情報で、前記経路を再び検索する
ことを特徴とする請求項１又は２に記載の経路探索装置。
【請求項４】
交通機関を利用して出発地から目的地まで移動する経路を探索する経路探索方法であって、
前記交通機関の経路データを記憶する経路データ記憶ステップと、
前記交通機関の運行時刻データを記憶する時刻表データ記憶ステップと、
現在位置及び現在時刻のいずれか一つ以上を含む現在情報を取得する現在情報取得ステップと、
前記経路データ及び前記運行時刻データを参照して、前記現在情報取得ステップで取得された現在情報に基づいて、前記出発地から前記目的地まで移動する経路を探索する経路探索ステップと、
前記経路探索ステップで探索された前記経路を提示する探索経路提示ステップ
を備えることを特徴とする経路探索方法。
【請求項５】
駅名、路線名、ホームのいずれか一つ以上と、位置情報を関連づけて記憶するホーム位置記憶ステップを更に備えており、
前記現在情報取得ステップにおいて、前記現在位置を取得した場合、前記ホーム位置記憶ステップで記憶した情報を参照して、駅名、路線名、ホームのいずれか一つ以上の現在位置を取得し、取得した現在位置を出発地として、前記経路探索ステップで前記経路を検索する
ことを特徴とする請求項４に記載の経路探索方法。
【請求項６】
前記現在情報取得ステップで取得した現在情報を保持し、探索経路提示ステップで前記経路を提示した後、再び経路検索を行う場合、前記経路探索ステップにおいて、保持した前記現在情報で、前記経路を再び検索する
ことを特徴とする請求項４又は５に記載の経路探索方法。
【発明の詳細な説明】
【０００１】
【発明の属する技術分野】
本発明は、交通機関を利用して出発地から目的地まで移動する経路を探索する経路探索装置及び経路探索方法に関する。
【０００２】
【従来の技術】
近年、コンピュータ、ＰＤＡ、携帯電話等の情報機器の普及に伴い、今まで本などで調べていた情報を情報機器によって簡易に調べることができるようになってきた。
【０００３】
例えば、従来は、出発地から目的地まで電車などの交通手段を乗り継いで移動する場合、乗り継ぐ電車、時間などの情報は時刻表を参照しながら調べていた。
【０００４】
しかし現在は、情報機器上でアプリケーションを稼働させ、出発地、目的地、出発予定時刻等を入力することにより、最短時間（或いは最小金額、最小乗換回数）で移動できる電車等の情報を取得することができる。又、近年のインターネットの著しい発達に伴い、情報機器上でアプリケーションを稼働させるのではなく、情報機器からインターネット上のサーバに検索条件を送信し、情報機器でその結果を受信することもできる。
【０００５】
従来の経路探索装置及び経路探索方法においては、出発地から目的地までの経路を検索する場合、出発地、目的地、出発時刻、到着時刻等を入力させ、事前に経路を検索することを前提に作成されている。
【０００６】
【発明が解決しようとする課題】
しかし、現実において、経路探索装置及び経路探索方法を利用する状況としては、事前に検索するだけではない。例えば、予め経路を検索していたが、出発地（出発駅）に到着した時、検索結果として出力された出発時刻を過ぎていた場合や、到着時刻を確認せずに交通機関に乗車した場合などが挙げられる。
【０００７】
これらの状況においては、予め経路を検索する場合と異なる仕様、ユーザインタフェースを提供することが望まれている。
【０００８】
従って本発明の目的は、ユーザの状況に応じた経路検索を提供する経路探索装置及び経路検索方法を提供することである。
【０００９】
【課題を解決するための手段】
上記目的を達成するため、本発明の第１の特徴は、交通機関を利用して出発地から目的地まで移動する経路を探索する経路探索装置であって、交通機関の経路データを記憶する経路データ記憶手段と、交通機関の運行時刻データを記憶する時刻表データ記憶手段と、現在位置及び現在時刻を少なくとも含む現在情報を取得する現在情報取得手段と、経路データ及び運行時刻データを参照して、現在情報取得手段で取得された現在情報に基づいて、出発地から目的地まで移動する経路を探索する経路探索手段と、経路探索ステップで探索された経路を提示する探索経路提示手段を備えることを特徴とする経路探索装置である。
【００１０】
上記発明によれば、ユーザの状況に応じた経路検索を提供する経路探索装置を提供することができる。
【００１１】
又、駅名、路線名、ホームのいずれか一つ以上と、位置情報を関連づけて記憶するホーム位置記憶手段を更に備えていても良い。この場合、現在情報取得手段において、現在位置を取得した場合、ホーム位置記憶手段で記憶した情報を参照して、駅名、路線名、ホームのいずれか一つ以上の現在位置を取得し、取得した現在位置を出発地として、経路探索手段で経路を検索するのが好ましい。
【００１２】
ここで、位置情報とは、例えば、ＧＰＳで取得した緯度経度情報を含む位置情報である。これによれば、緯度経度情報から、現在の駅、路線、ホームなどの情報を検索することにより出発地を取得できるので、出発地を入力させる必要がない。
【００１３】
又、現在情報取得手段で取得した現在情報を保持し、探索経路提示手段で経路を提示した後、再び経路検索を行う場合、経路探索手段において、保持した現在情報で、経路を再び検索しても良い。ここで、現在情報とは、現在時刻或いは現在位置のいずれか一つ以上の情報である。これにより、例えば、電車に乗車した後も、同じ条件で経路を検索することができる。
【００１４】
本発明の第２の特徴は、交通機関を利用して出発地から目的地まで移動する経路を探索する経路探索方法であって、交通機関の経路データを記憶する経路データ記憶ステップと、交通機関の運行時刻データを記憶する時刻表データ記憶ステップと、現在位置及び現在時刻のいずれか一つ以上を含む現在情報を取得する現在情報取得ステップと、経路データ及び運行時刻データを参照して、現在情報取得ステップで取得された現在情報に基づいて、出発地から目的地まで移動する経路を探索する経路探索ステップと、経路探索ステップで探索された経路を提示する探索経路提示ステップを備えることを特徴とする経路探索方法である。
【００１５】
又、駅名、路線名、ホームのいずれか一つ以上と、位置情報を関連づけて記憶するホーム位置記憶ステップを更に備えていても良い。この場合、現在情報取得ステップにおいて、現在位置を取得した場合、ホーム位置記憶ステップで記憶した情報を参照して、駅名、路線名、ホームのいずれか一つ以上の現在位置を取得し、取得した現在位置を出発地として、経路探索ステップで経路を検索するのが好ましい。
【００１６】
又、現在情報取得ステップで取得した現在情報を保持し、探索経路提示ステップで経路を提示した後、再び経路検索を行う場合、経路探索ステップにおいて、保持した現在情報で、経路を再び検索しても良い。
【００１７】
【発明の実施の形態】
次に、図面を参照して、本発明の実施の形態を説明する。以下の図面の記載において、同一又は類似の部分には同一又は類似の符号を付している。
【００１８】
（最良の実施の形態）
本発明の最良の実施の形態に係る経路探索装置１の機能ブロック図を図１に示す。
【００１９】
本発明の最良の実施の形態に係る経路探索装置１は、入出力制御手段１１、経路探索メニュー提示手段１２、経路探索条件取得手段１３、現在情報取得手段１４、経路探索手段１５、探索経路提示手段１６、通信制御手段１７、経路データ記憶装置（経路データ記憶手段）２１、時刻表データ記憶装置（時刻表データ記憶手段）２２を備えている。
【００２０】
表示装置３１は、ＣＲＴディスプレイ、液晶ディスプレイ等の装置のことである。入力装置３２は、キーボード、マウス、トラックボール等の装置のことである。又、表示装置３１及び入力装置３２は、ディスプレイを触れることにより入力を行うことのできるタッチパネルやその他の装置であっても良い。
【００２１】
入出力制御手段１１は、入力装置３２からの入力、及び表示装置３１への出力を制御する手段である。
【００２２】
通信制御手段１７は、図２に示すように、経路探索装置１が、インターネット等の通信ネットワーク３に接続できるインタフェースとなる手段である。具体的には、ＬＡＮカード、モデム、などがこれに相当する。ユーザ端末２ａ、２ｂ、２ｃ…から通信ネットワーク３を介して入力された情報は、通信制御手段１７を介して経路探索装置１に入力され、経路探索装置１から出力された情報は、通信制御手段１７及び通信ネットワーク３を介してユーザ端末２ａ、２ｂ、２ｃ…に出力される。
【００２３】
ここでユーザ端末２ａ、２ｂ、２ｃ…は、通信機能が内蔵された携帯電話、ＰＤＡ、ノート型コンピュータ、デスクトップコンピュータなどの情報機器である。今すぐ到着する交通機関に乗って経路を検索する場合は、携帯電話、ＰＤＡ、ノートコンピュータなど、可搬性に優れている情報機器であるのが好ましい。
【００２４】
経路データ記憶装置２１は、電車、バス、飛行機、船などの交通機関の経路データを記憶した記憶装置である。例えば、交通機関の名称、路線名、乗降駅、他の交通機関への乗換方法などが記録されている。
【００２５】
時刻表データ記憶装置２２は、経路データ記憶装置２１で記録された交通機関の運行時刻データを記憶する記憶装置である。運行時刻データとは、交通機関の乗降駅の到着時間、出発時間などの運行ダイアに関わる情報である。
【００２６】
経路探索メニュー提示手段１２は、経路探索装置１が探索できる経路メニューを表示装置３１やユーザ端末２ａ、２ｂ、２ｃ…に提示し、経路メニューを入力装置３２やユーザ端末２ａ、２ｂ、２ｃ…を介してユーザに選択させる手段である。例えば、未来の日時を指定して経路を検索する、今すぐ到着する交通機関に乗って経路を検索する、などのメニューを提示する。
【００２７】
経路探索条件取得手段１３は、未来の日時を指定して経路を検索する条件を取得する手段である。ここでは、出発地、目的地、出発地の出発時刻、目的地の到着時刻、所要時間、乗換回数、料金などの経路を検索する優先順位など、経路を探索する条件を取得する。
【００２８】
現在情報取得手段１４は、現在位置、現在時刻を少なくとも含む現在情報を取得する手段である。現在位置は、ＧＰＳなどによって取得された緯度・経度データでも良いし、ユーザに入力させた駅名、地名などでも良い。現在時刻は、図示しないが、経路探索装置１に内蔵された時計から取得されるのが好ましい。ここで、経路探索条件取得手段１３と同様に、所要時間、乗換回数、料金などの経路を検索する優先順位を取得しても良い。
【００２９】
経路探索手段１５は、経路探索条件取得手段１３で取得された経路探索条件、或いは現在情報取得手段１４で取得された現在情報に基づいて、経路データ記憶装置２１に記憶された経路データ及び時刻表データ記憶装置２２で記憶された時刻表データを参照して、経路を探索する手段である。
【００３０】
経路探索メニュー提示手段１２で、今すぐ到着する交通機関に乗って経路を検索する場合は、現在情報取得手段１４で取得した現在位置を出発地、現在時刻を出発時刻として、経路を検索する。ここでは、今すぐ到着する交通機関に乗った場合の経路を検索しても良いし、急行列車、特急列車などを考慮して、今すぐ到着する交通機関に乗り、且つ一番早く到着する経路を検索しても良い。
【００３１】
又、未来の日時を指定して経路を検索する場合は、例えば、出発地を出発時刻に出発して、目的地に到着するまでの経路、目的地に到着時刻に到着できるように出発地を出発する経路を検索する。
【００３２】
探索経路提示手段１６は、経路探索手段１５で探索された経路を、表示装置３１、ユーザ端末２ａ、２ｂ、２ｃ…に提示する手段である。ここで、提示する経路に関して、事故、遅延、運休、工事などの運行情報があれば、併せて提示しても良い。
【００３３】
本発明の最良の実施の形態における経路探索装置１が処理する経路探索方法のフローチャートを図３に示す。
【００３４】
まず、ステップＳ１０１において、経路探索メニュー提示手段１２によって経路探索メニューを提示し、ユーザに選択させる。ステップＳ１０２において、現在情報で検索するか否かを判断する。
【００３５】
現在情報で検索する場合は、ステップＳ１０３において、現在情報取得手段１４により、現在位置、現在時刻などの現在情報を取得し、更に、ステップＳ１０４において、経路探索手段１５により、取得された現在情報に基づいて経路を検索する。
【００３６】
現在情報で検索しない場合、例えば未来の日時を指定して経路を検索する場合は、ステップＳ１０５において、経路探索条件取得手段１３により経路探索条件を取得し、更に、ステップＳ１０６において、経路探索手段１５により、取得された経路探索条件に基づいて経路を検索する。
【００３７】
ステップＳ１０４及びステップＳ１０６において経路が検索されると、ステップＳ１０７において、探索経路提示手段１６によって、検索された経路を、表示装置３１、ユーザ端末２ａ、２ｂ、２ｃ…に表示する。
【００３８】
本発明の最良の実施の形態における経路探索装置１が、今すぐ到着する交通機関に乗って経路を検索する場合に提示する画面例を図４乃至図７を用いて説明する。
【００３９】
図４は、条件入力画面の一例である。条件入力画面は、条件入力部５１及び検索リンクＬ１０１を備えている。条件入力部５１は、出発地（図ではＡ駅）、目的地（図ではＢ駅）、検索の表示順（図では所要時間優先）を入力させる。ここで、出発地は現在位置のことであり、ＧＰＳなどを用いて緯度・経度を取得して、駅やホームなどに変換しても良い。検索の表示順は、所要時間優先、乗換回数優先、料金優先など、いくつかの項目をコンボボックスなどに設定し、ユーザに選択させるようにするのが好ましい。
【００４０】
条件入力部５１で条件を設定した後、検索リンクＬ１０１をクリックすることにより、条件入力部５１で設定された条件に基づいて、経路を検索する。このとき、出発地を現在時刻に出発して、出発地から目的地までの経路を検索する。
【００４１】
図５は、図４に示した条件入力部５１に、出発地及び目的地を入力する時に表示する入力ヘルプ画面である。図５（ａ）は乗車候補駅名（出発地候補）についての、図５（ｂ）は降車候補駅名（目的地候補）についての入力ヘルプ画面である。入力ヘルプ画面では、駅名を二文字以上入力すると、入力された文字を含む駅を、候補駅名として表示する。入力ヘルプ画面は、特に急いで経路検索したい場合などに有効である。例えば、図５（ａ）においては、Ａを含む駅、Ａ駅、Ａ一丁目駅、Ａ南駅、北Ａ駅、Ａ西口駅などが表示される。
【００４２】
図６は、図４に示した条件入力画面において、検索リンクＬ１０１をクリックした場合の検索結果画面である。図６（ａ）は、検索された複数の経路を一覧表示する画面で、図６（ｂ）は、検索されたそれぞれの経路を詳細に表示する画面である。
【００４３】
図６（ａ）に示した検索結果画面は、条件表示部５２、結果一覧表示部５３を備えている。条件表示部５２は、図４の条件入力画面で入力した条件を表示している。ここで、検索した現在時刻も合わせて表示するのが好ましい。結果一覧表示部５３は、検索された複数の経路を一覧表示している。ここで、遅延情報がある路線が含まれる場合には、記号などで、遅延情報があることを知らせても良い。
【００４４】
更に、再検索リンクＬ１０２を備えても良い。再検索リンクＬ１０２は、例えば、検索した時刻に到着した電車に乗り過ごし、その後に到着した電車に乗る場合などに有効である。再検索リンクＬ１０２により、ユーザはより容易に今すぐ到着する交通機関に乗って経路を検索することができる。
【００４５】
図６（ａ）に示した結果一覧表示部５３は、それぞれの検索結果を詳細に示す結果表示リンクを備えている。例えば、第１の経路を詳細に表示する第１の結果表示リンクＬ１０３をクリックすると、図６（ｂ）が表示される。
【００４６】
図６（ｂ）は、図６（ａ）で示した第１の経路を詳細に示した画面で、条件表示部５４、第１の結果表示部５５を備えている。条件表示部５４は、図６（ａ）の条件表示部５２と同様で、図４の条件入力画面で入力した条件を表示している。第１の結果表示部５５は、第１の経路を詳細に示しており、出発時刻、乗換回数、所要時間、料金、各駅の到着駅を示す。複数の交通手段を利用して移動する場合は、それぞれの交通手段の乗車駅、乗車時刻、降車駅、降車時刻なども合わせて表示するのが好ましい。
【００４７】
図６（ｂ）に設けられた結果一覧リンクＬ１０５をクリックすることにより、図６（ａ）の結果一覧画面を表示する。
【００４８】
図６（ｂ）において示した経路に遅延情報が含まれる場合は、遅延情報リンクＬ１０４が設けられる。遅延情報リンクＬ１０４をクリックすることにより、図７に示した遅延情報表示画面を表示する。実施例においては、図６（ｂ）で示した経路中、Ｍ線において遅延情報があったので、図７の遅延情報表示画面において、Ｍ線に関する遅延情報を表示している。遅延情報表示画面で表示する遅延情報は、事故、遅延、運休、工事や、又、遅延情報が回復したことを表示しても良い。
【００４９】
図８は、本発明の最良の実施の形態における経路探索装置１が、未来の日時を指定して経路を検索する場合に提示する条件入力画面の画面例である。図８に示した条件入力画面においては、条件入力部６１が設けられている。条件入力部においては、出発地（図ではＡ駅）、目的地（図ではＢ駅）、出発或いは到着の時間、検索の表示順（図では所要時間優先）、１００ｋｍ以下の有料特急を利用する・しない、優先的に選択する航空会社の有無、などを入力させる。優先的に選択する航空会社の有無を設定させることにより、例えばユーザがマイレージを集めている航空会社を、経路案内で優先的に案内することができる。
【００５０】
今すぐ到着する交通機関に乗って経路を検索する場合に提示する画面例である図４と、未来の日時を指定して経路を検索する場合に提示する画面例である図７を比較すると、図４における入力する条件の項目が少ない。今すぐ到着する交通機関に乗って経路を検索する場合において入力する条件を少なくすることにより、検索の迅速性を高めることができる。
【００５１】
又、ユーザ端末２ａが経路探索装置１に接続して、取得した現在時刻や現在位置の現在情報を保持しておくのが好ましい。現在情報は、ユーザ端末２ａで一時データとして保持されても良い。この場合、ユーザ端末２ａが現在情報で検索する場合、保持した情報を経路検索装置１に送信する。又、経路探索装置１で現在情報を保持しても良い。経路探索装置１に保持する場合、ユーザ端末２ａの機器識別番号をキーとして保持しても良いし、ユーザ端末２ａとのセションに関連づけて保持しても良い。
【００５２】
取得した現在情報を保持することにより、例えば、ユーザが電車に乗車してから到着時刻を調べるなど、一度提示した条件とは異なる条件で検索する場合、出発時刻や出発地の入力の手間を省くことができる。即ち、乗車した時にユーザ端末２ａから経路探索装置１に接続することにより、一度、検索結果が提示された後も、保持した現在時刻を出発時刻として更に現在位置を出発地として、目的地や検索条件等を変更した複数の検索結果を取得することができる。
【００５３】
本発明の最良の実施の形態によれば、今現在の位置や時間に基づいて経路を検索するなど、ユーザの状況に応じた経路検索を提供する経路探索装置を提供することができる。
【００５４】
又、今現在の位置や時間に基づいて経路を検索する場合は、ユーザの入力項目を減らすので、これにより、素早く経路を検索することができる。従って、ユーザが移動を急いでいる時などの場合に有効である。
【００５５】
（最良の実施の形態の変形例）
本発明の最良の実施の形態の変形例においては、ユーザ端末２ａ、２ｂ、２ｃ…がＧＰＳ受信機を備えており、ＧＰＳ（Ｇｌｏｂａｌ　Ｐｏｓｉｔｉｏｎｉｎｇ　Ｓｙｓｔｅｍ）を利用して、ユーザ端末２ａ、２ｂ、２ｃ…は、緯度、経度で示された位置情報を取得することができる。
【００５６】
図９を参照して、本発明の最良の実施の形態の変形例に係る経路探索装置１を説明する。図９に示した本発明の最良の実施の形態の変形例に係る経路探索装置１は、図１に示した本発明の最良の実施の形態に係る経路探索装置１に比べて、ホーム位置記憶装置２３を備えている点が異なる。
【００５７】
ホーム位置記憶装置２３は、図１０に示すように、駅と、その駅で乗車できる電車の路線と、ホームの位置情報が関連づけられたホームの位置情報を記憶している。更に、上りホーム、下りホームごとに緯度経度情報が関連づけられているのが好ましい。図１０においては、ホームを矩形に近似した場合の、矩形の右上と左下の位置情報を記憶しているが、緯度経度から駅、路線、ホームを特定することができれば良い。
【００５８】
又、図１０には示さないが、路線やホームごとの緯度経度情報のみではなく、更に駅の緯度経度情報が記憶されていても良い。
【００５９】
又、図９に示した現在情報取得手段１４は、ユーザ端末２ａ、２ｂ、２ｃ…から、緯度経度で示された現在位置を取得し、ホーム位置記憶装置２３を参照して、その位置に近い駅、路線名、ホームのいずれか一つ以上を特定し、特定した条件を出発地の情報として、経路検索手段１５に送信する。
【００６０】
図１１を参照して、本発明の最良の実施の形態の変形例に係る経路探索方法において、現在位置を取得する場合の処理を説明する。
【００６１】
まず、ステップＳ２０１において、現在時刻を取得し、ステップＳ２０２において、現在位置を取得する。
【００６２】
次に、ステップＳ２０３において、ホーム位置記憶装置２３を参照して、ステップＳ２０２で取得した現在位置に該当するホームを検索する。
【００６３】
ステップＳ２０４において現在位置に近い駅の情報がない場合、ステップＳ２０５において、ユーザ端末２ａにおいて駅名を入力させ、入力された駅名を取得する。更に、取得した駅名を出発地として設定する。
【００６４】
一方、ステップＳ２０４において現在位置に近い駅の情報があった場合、ステップＳ２０６において、現在位置から一定距離内の路線、ホームの情報があるか検索する。情報がない場合、ステップＳ２０７において、該当する駅名のみ取得し、取得した駅名を出発地として設定する。
【００６５】
ステップＳ２０６において現在位置から一定距離内の路線、ホームの情報があった場合、ステップＳ２０８において、該当する駅名を出発地として取得し、更に該当する路線、ホームの情報を取得する。
【００６６】
更に、ステップＳ２０９において、ステップＳ２０１で取得した現在時刻と、ステップＳ２０５、ステップＳ２０７及びステップＳ２０８で取得した現在位置とを現在情報として、経路検索手段１５に送信する。取得した現在情報は、経路検索手段１５における経路検索のアルゴリズムで利用される。
【００６７】
本発明の最良の実施の形態の変形例に係る経路検索装置によれば、位置情報として緯度経度情報を取得し、駅、路線、ホームを特定することにより、ユーザが入力する手間を減らし、より便利な経路を案内することができる。
【００６８】
（その他の実施の形態）
上記のように、本発明の最良の実施の形態によって記載したが、この開示の一部をなす論述及び図面はこの発明を限定するものであると理解すべきではない。
【００６９】
この開示から当業者には様々な代替実施の形態、実施例及び運用技術が明らかとなろう。
【００７０】
本発明の最良の実施の形態においては、ユーザに現在位置（現在居る駅などの場所）を入力させたが、ユーザ端末に内蔵されたＧＰＳなどを利用してユーザの現在位置を取得しても良い。この場合、ユーザが現在居る駅のホームまで取得することにより、ユーザが利用しようとする交通機関名、路線名、上り・下りの情報を取得することができる。従って、ユーザの入力項目をより削減することも可能である。
【００７１】
又、経路探索の結果として、移動機関の出発時刻及び到着時刻を出力するようにしたが、電車番号などの固有番号を出力するようにしても良い。
【００７２】
この様な、本発明はここでは記載していない様々な実施の形態等を含むことは勿論である。従って、本発明の技術的範囲は上記の説明から妥当な特許請求の範囲に係る発明特定事項によってのみ定められるものである。
【００７３】
【発明の効果】
本発明によれば、ユーザの状況に応じた経路検索を提供する経路探索装置及び経路探索方法を提供することができる。
【図面の簡単な説明】
【図１】本発明の最良の実施の形態に係る経路探索装置の機能ブロック図である。
【図２】本発明の最良の実施の形態に係る経路探索装置を利用する経路探索システムのシステム構成図である。
【図３】本発明の最良の実施の形態に係る経路探索方法のフローチャートである。
【図４】本発明の最良の実施の形態に係る経路探索装置が提示する画面例で、今すぐ到着する交通機関に乗って経路を検索する場合の条件入力画面である。
【図５】本発明の最良の実施の形態に係る経路探索装置が提示する画面例で、図５（ａ）は乗車候補駅名についての、図５（ｂ）は降車候補駅名（目的地候補）についての入力ヘルプ画面である。
【図６】本発明の最良の実施の形態に係る経路探索装置が提示する画面例で、図６（ａ）は、検索された複数の経路を一覧表示する画面で、図６（ｂ）は、検索されたそれぞれの経路を詳細に表示する画面である。
【図７】本発明の最良の実施の形態に係る経路探索装置が提示する画面例で、図６（ｂ）において示した経路に遅延情報が含まれる場合に表示する遅延情報表示画面である。
【図８】本発明の最良の実施の形態に係る経路探索装置が提示する画面例で、未来の日時を指定して経路を検索する場合に提示する条件入力画面である。
【図９】本発明の最良の実施の形態の変形例に係る経路探索装置の機能ブロック図である。
【図１０】本発明の最良の実施の形態に係るホーム位置記憶装置のデータ構造とデータの一例を示す図である。
【図１１】本発明の最良の実施の形態に係る経路探索方法において、現在情報を取得する処理を説明するフローチャートである。
【符号の説明】
１…経路探索装置
２ａ、２ｂ、２ｃ…ユーザ端末
３…通信ネットワーク
１１…入出力制御手段
１２…経路探索メニュー提示手段
１３…経路探索条件取得手段
１４…現在情報取得手段
１５…経路探索手段
１６…探索経路提示手段
１７…通信制御手段
２１…経路データ記憶装置
２２…時刻表データ記憶装置
２３…ホーム位置記憶装置
３１…表示装置
３２…入力装置
５１…条件入力部
５２…条件表示部
５３…結果一覧表示部
５４…条件表示部
５５…第１の結果表示部
６１…条件入力部
【図１】
2004001721.tif 000003
【図２】
2004001721.tif 000004
【図３】
2004001721.tif 000005
【図４】
2004001721.tif 000006
【図５】
2004001721.tif 000007
【図６】
2004001721.tif 000008
【図７】
2004001721.tif 000009
【図８】
2004001721.tif 000010
【図９】
2004001721.tif 000011
【図１０】
2004001721.tif 000012
【図１１】
2004001721.tif 000013